(57)【要約】【課題】表示部の通常表示を妨げず、同時に別の情報を表示する。【解決手段】電気フライヤーは、任意の整数をアラビア数字で表示する７セグメント２６と、小数点を表示する１つのドット２８とからなる表示部２２で、各種情報を表示する表示装置２０を備えている。表示部２２は、ドット２８が上部に位置するように表示装置２０に設置される。そして、制御手段により７セグメント２６とは独立してドット２８を点灯制御することで、ヒータの位置、排油バルブの開閉状況および構成部品の交換時期が表示されるようになっている。【選択図】図２
2005316299.tif 000002
【特許請求の範囲】
【請求項１】
任意の整数をアラビア数字で表示する７つのセグメント(26a)と、小数点を表示する１つのドット(28)とからなる表示部(22)を備え、この表示部(22)に機器(10)の各種情報を表示するようにした表示装置において、
前記表示部(22)を、前記ドット(28)が上部に位置するように設置し、
前記ドット(28)を、前記７つのセグメント(26a)とは独立して点灯制御することで、該ドット(28)に前記機器(10)の状況に応じた情報を表示させ得るよう構成した
ことを特徴とする表示装置。
【請求項２】
前記機器(10)は、その構成部品(R,S1,S2)の動作回数を制御手段(32)で計数し、その数が該制御手段(32)に設定された数値を超えると、前記表示部(22)のドット(28)を点灯制御するようにした請求項１記載の表示装置。
【発明の詳細な説明】
【技術分野】
【０００１】
この発明は、電気フライヤー、冷蔵庫や食器洗浄機等の厨房機器に配設され、温度等の各種表示を行なう表示装置に関し、更に詳細には、任意の整数をアラビア数字で表示する７つのセグメントと、小数点を表示する１つのドットとからなる表示部を備える表示装置に関するものである。
【背景技術】
【０００２】
電気フライヤー、冷蔵庫や食器洗浄機等の厨房機器には、温度や運転状況等を表示する表示装置が、使用者から見易い位置に設けられている。図４は、電気フライヤーの表示装置５０を示す正面図である。前記表示装置５０は、任意の整数をアラビア数字で表示する７つのセグメント２６ａ(以下７セグメントと云う)と、小数点を表示する１つのドット２８とからなる表示部５２と、通電の有無等の基本的な運転状況を表示する複数のランプ２４とから構成される。前記表示部５２は、「日」型に構成された各セグメント２６ａに対応して設けられたＬＥＤ(発光ダイオード)を、図示しない制御手段により点灯または消灯させることで、アラビア数字、特定のアルファベットおよび簡単な記号等を表示するようになっている。また、前記ドット２８は、前記７セグメント２６の右下側に位置して、小数点の表示に用いられる。そして、油温度を検知するサーミスタ(図示せず)により測定した温度データをマイコンやシーケンサ等の制御手段が読み取り、この温度データに基づき、表示部５２の各セグメント２６ａを点灯または消灯制御することで、油温度を表示している。なお、電気フライヤーでは、１６０〜２００℃程度の油温度での使用が想定されるから、前記表示部５２は、横方向に３つ並んで３桁の数字を表現できるよう構成される。
【０００３】
前記表示装置５０では、通電状況等の常時表示される基本的な情報の他に、油交換時期等の任意情報を、使用者に報知することが求められている(例えば、特許文献１参照)。この警報の表示方法としては、前記表示装置５０にランプ２４を追加して、このランプ２４の点滅により警報表示することや、表示部５２の７セグメント２６に警報メッセージを油温度と切替えて表示させることで使用者に報知される。
【特許文献１】特開平６−１４１９８４号公報
【発明の開示】
【発明が解決しようとする課題】
【０００４】
しかし警報の報知を、前記７セグメント２６で表示するように構成すると、必要とされる油温度の表示と、警報メッセージとが混在して見づらくなり、使い勝手を悪化してしまう問題が指摘される。また、前記表示装置５０にランプ２４を追加すると、部品や組立て作業時間が増加してしまう不都合がある他、制御手段の出力点数も増加してしまい、該制御手段自体の価格が上昇してしまう難点もある。
【０００５】
すなわちこの発明は、従来の技術に係る表示装置に内在する前記問題に鑑み、これらを好適に解決するべく提案されたものであって、表示部の通常表示を妨げず、同時に別の情報を表示し得る表示装置を提供することを目的とする。
【課題を解決するための手段】
【０００６】
前記課題を克服し、所期の目的を達成するため、本発明に係る表示装置は、
任意の整数をアラビア数字で表示する７つのセグメントと、小数点を表示する１つのドットとからなる表示部を備え、この表示部に機器の各種情報を表示するようにした表示装置において、
前記表示部を、前記ドットが上部に位置するように設置し、
前記ドットを、前記７つのセグメントとは独立して点灯制御することで、該ドットに前記機器の状況に応じた情報を表示させ得るよう構成したことを特徴とする。
【発明の効果】
【０００７】
本発明に係る表示装置によれば、７つのセグメントと１つのドットとからなる表示部について、このドットを７つのセグメントとは独立して点灯制御することで、ドットに機器の状況に応じた情報を表示させ得るよう構成したから、７セグメントに所要の情報を表示しつつ、別の情報をドットにより報知することができ、表示部において表示する情報量を増加し得る。また表示部を、ドットが上部に位置するように設置することで、使用者における情報の判別を容易にし得る。しかも、ドットを表示部の上部に位置させる構成について、全くのコストに増加を伴わず達成することができる。更に、機器における構成部品の動作回数を制御手段で計数し、その数が制御手段に設定された数値を超えたときに、ドットを点灯制御することで、構成部品のタイムリーな点検または交換を促すことができるから、機器自体の寿命を向上させ得る。
【発明を実施するための最良の形態】
【０００８】
次に、本発明に係る表示装置につき、好適な実施例を挙げて、添付図面を参照して以下に説明する。なお、説明の便宜上、図４に示した表示装置の構成要素と同一の要素については、同一の符号を使用して詳細な説明は省略する。また、実施例では厨房機器(機器)として、所定レベルで貯留した食用油を所定温度まで加熱し、各種の被調理品を食用油中に投入して加熱調理する電気フライヤーを挙げ、この電気フライヤー１０に表示装置を配設した場合について説明する。
【実施例】
【０００９】
図１は、実施例に係る表示装置２０が配設された電気フライヤー１０を示す概略斜視図である。前記電気フライヤー１０の本体１０ａは、上方に開口した油槽１２を備え、この油槽１２に食用油が満たされる。前記本体１０ａの頂部には、油加熱用のヒータ１６を取付けた加熱装置１４が、軸(図示せず)を中心に上下方向に旋回可能に配設され、常には油槽１２の底部に近接して食用油に浸漬した状態で該ヒータ１６を略水平に臨ませている。そして、清掃や点検その他の必要に応じて、前記ヒータ１６を上方にはね上げることで、油槽内部の清掃等を容易に実施し得るようになっている(図３参照)。また前記油槽１２の底面には、排油孔１２ａが開設され、この排油孔１２ａに連通して排油管１８が接続されている(図３参照)。この排油管１８の中途には、排油バルブ１８ａが介挿され、この排油バルブ１８ａは常には閉成されて、前記油槽１２における食用油の貯留を許容すると共に、食用油の交換に際して開放することで、食用油を外部に排出し得るようになってる。更に、前記本体１０ａにおける使用者から見易い前面側に、運転状況や油温度等を表示する表示装置２０と、運転スイッチ４２や前記油槽１２の温度設定手段４４等の制御部４０とが配設されている。なお、実施例では、前記表示装置２０と制御部４０とが一体的に構成されている。
【００１０】
図２に示すように、前記表示装置２０は、任意の整数をアラビア数字で表示する７つのセグメント２６ａ(以下、７セグメントと云う)と、この７セグメント２６の右下側にある場合は小数点を表示可能な１つのドット２８とからなる複数(実施例では３個)の表示部２２と、前記運転スイッチ４２のＯＮ−ＯＦＦ状況やヒータ１６の通電状況を表示する一対のランプ２４,２４とから基本的に構成されている。前記各表示部２２は、７つのセグメント２６ａを「日」の字の各辺を構成するように配置すると共に、各セグメント２６ａに対応的に配設されたＬＥＤ(図示せず)を発光させて、１桁のアラビア数字だけでなく、特定のアルファベットや簡単な記号等を表示し得るよう構成される。前記表示部２２は横方向に３個並べられ、これら３つの７セグメント２６で基本的に３桁の油温度を表示している。また、各表示部２２の上部には、前記７セグメント２６の左上側に位置してドット２８が配置され、このドット２８に対応して配設されたＬＥＤの点灯制御により所要の情報を報知し得るようになっている。すなわち前記表示部２２は、小数点として使用されるドット２８を右下側に有する７セグメントの汎用品を使用し、これを上下逆に反転(１８０°回転)させた状態で表示装置２０に設置されている。ここで、前記ドット２８の点灯制御とは、消灯していたＬＥＤの点灯によるドット２８の表示のみではなく、該ドット２８の一定間隔または不規則な間隔での点滅、および常には点灯しているドット２８を消灯または点滅する制御を含む。更に、表示部２２毎に制御するのではなく、複数の表示部２２のドット２８を同時に点滅させたり、順番に点滅させてもよい。なお、実施例の表示装置２０では、図２における左側から第１、第２および第３表示部２２ａ,２２ｂ,２２ｃとする。そして、前記各表示部２２におけるドット２８の上方には、該ドット２８の点滅または点灯等することで表される後述する制御手段３２からのメッセージ内容が記載されたラベル３０が対応的に設置されている。
【００１１】
図３に示すように、前記電気フライヤー１０では、後述するサーミスタＴやスイッチＳ１,Ｓ２等の部品および制御部４０からの信号に基づいて、制御手段３２によりリレーＲ等の部品および表示装置２０が任意の動作を行なうように制御されている。すなわち、前記制御手段３２としては、マイコンやシーケンサ等のプログラムにより、入力された情報に対し、所定の情報を出力するよう設定し得るものが採用される。前記油槽１２には、温度測定手段であるサーミスタＴが配設され、該油槽１２に貯留された食用油の温度を連続的または間欠的に測定している。また、前記加熱装置１４には、第１スイッチＳ１が配設され、該加熱装置１４の位置を監視している。前記加熱装置１４のヒータ１６が、前記油槽１２の底面に平行に位置している通常位置では、前記第１スイッチＳ１はＯＦＦ状態にあって電気回路を開放すると共に、該ヒータ１６が上方に旋回された非加熱位置にある場合は、ＯＮ状態に移行し、電気回路を閉成するように構成されている。前記第１スイッチＳ１の開閉による電気回路の通電によって、前記制御手段３２に前記ヒータ１６の位置情報が入力される。更に、前記排油バルブ１８ａには、第２スイッチＳ２が配設され、該排油バルブ１８ａの開閉状態を監視している。すなわち排油バルブ１８ａが閉成している通常位置では、前記第２スイッチＳ２はＯＦＦ状態にあって電気回路を開放すると共に、該排油バルブ１８ａを開放した排油位置にある場合は、ＯＮ状態に移行し、電気回路を閉成するように構成されている。そして、前記第２スイッチＳ２の開閉による電気回路の通電によって、前記制御手段３２に前記排油バルブ１８ａの開閉情報が入力される。なお、前記第１スイッチＳ１および第２スイッチＳ２としては、マイクロスイッチや近接スイッチ等が採用される。
【００１２】
前記電気フライヤー１０は、前記制御部４０に配設された前記運転スイッチ４２のＯＮ−ＯＦＦにより制御手段３２への電気の供給と停止とが切り替えられるよう構成される。前記制御手段３２は、前記サーミスタＴ、第１スイッチＳ１、第２スイッチＳ２、および前記制御部４０の温度設定手段４４からの入力に基づいて、加熱装置１４への電気回路上に介挿されたリレーＲを開閉制御し、該加熱装置１４のヒータ１６による加熱を制御して油槽１２の温度状態を調節している。また、構成部品である前記第１スイッチＳ１、第２スイッチＳ２およびリレーＲは、開閉回数(動作回数)を前記制御手段３２で計数されている。更に、前記制御手段３２は、前記両スイッチＳ１,Ｓ２、サーミスタＴおよび制御部４０からの入力に基づいて、前記表示装置２０に温度状態や機器の運転状態等の情報を出力するようになっている。ここで、前記ドット２８の点灯制御は、前記７セグメント２６とは独立して制御されている。実施例では、前記電気フライヤー１０の各種情報として表示装置２０に、運転スイッチ４２のＯＮ−ＯＦＦの状況、ヒータ１６への通電状況がランプ２４,２４で夫々表示され、３つの７セグメント２６で油温度が表示され、そしてドット２８の夫々でヒータ１６の位置、排油バルブ１８ａの開閉状況および構成部品であるリレーＲ、第１スイッチＳ１および第２スイッチＳ２の交換時期が表示されるようになっている。なお、前記制御手段３２としては、マイコンやシーケンサ等が好適に採用されるが、前記両スイッチＳ１,Ｓ２、サーミスタＴおよび制御部４０の入力に基づいて、前記加熱装置１４や表示装置２０等の機器を所定の動作をさせるように制御し得るものであればよく、リレー等の組合わせにより制御する構成も採用し得る。
【００１３】
〔実施例の作用〕
次に、実施例に係る表示装置の作用について説明する。前記運転スイッチ４２をＯＮすると、前記制御手段３２に通電されると共に、前記表示装置２０のランプ２４のうち運転ランプ２４が、該制御手段３２の出力により点灯される。前記制御手段３２は、前記第１スイッチＳ１および第２スイッチＳ２の両方がＯＦＦ状態にあるという入力に基づき、前記リレーＲを閉成してヒータ１６に通電して油槽１２に貯留された食用油の加熱を開始する。このとき、前記表示装置２０のランプ２４のうち、ヒータ１６の通電ランプ２４が、前記制御手段３２の出力により点灯される。そして、前記サーミスタＴにより連続的に油温度が測定されて、その信号が前記制御手段３２に入力され、前記表示装置２０の各表示部２２は、該制御手段３２からの信号に基づいて、各セグメント２６ａに対応するＬＥＤを点灯または消灯することで、常には油槽１２に貯留された食用油の温度が表示される。更に前記制御手段３２は、前記温度設定手段４４により設定された温度(設定温度)と対比して、油温度が設定温度より高い場合は、前記リレーＲを開放してヒータ１６による加熱を停止し、油温度が設定温度より低くなった場合は、リレーＲを閉成してヒータ１６による加熱を再開するよう制御する。
【００１４】
前記第１スイッチＳ１がＯＮ状態にあると、前記制御手段３２は前記ヒータ１６が非加熱位置にあることを判断し、運転中では前記リレーＲを開放してヒータ１６の加熱を停止し、または運転停止中ではリレーＲの開放状態を維持すると共に、前記第１表示部２２ａのドット２８を点滅させて異常を使用者に報知する。また、前記第２スイッチＳ２がＯＮ状態になると、前記制御手段３２は前記排油バルブ１８ａが排油位置にあると判断し、運転中では前記リレーＲを開放してヒータ１６の加熱を停止し、または運転停止中ではリレーＲの開放状態を維持すると共に、前記第２表示部２２ｂのドット２８を点滅させて異常を使用者に報知する。更に、前記リレーＲ、第１スイッチＳ１および第２スイッチＳ２は、その開閉動作を行なう毎に前記制御手段３２で計数され、該制御手段３２に予め設定された値を開閉動作回数が超えると、前記第３表示部２２ｃのドット２８を点滅させて、構成部品Ｒ,Ｓ１,Ｓ２の交換時期が到来したことを使用者に報知する。すなわち前記ドット２８は、７セグメント２６と独立して点灯制御されているので、７セグメント２６に油温度を表示したまま、電気フライヤー(機器)１０の状況として、各種警報や部品交換情報を表示し得る。
【００１５】
このように、前記表示装置２０は、各表示部２２の上部に位置するドット２８を点灯制御(実施例では点滅)して構成部品Ｒ,Ｓ１,Ｓ２の各種異常警報または交換時期等を表示するよう構成したので、７セグメント２６には油槽１２の温度等の情報を表示したまま、ドット２８において同時に他の情報を報知することができ、表示部２２において表示する情報量を増加し得る。すなわち前記表示装置２０は、警報等の表示のためにランプを追加する必要がなく、コストの増加がない。また前記表示装置２０では、前記ドット２８が表示部２２の上部に位置しているから、ドット２８を警報等の情報の報知に使用しても、使用者に小数点表示と誤認させることなく、７セグメント２６に表示される温度の判別に支障がない。しかも、前記表示部２２で小数点表示ができなくても、電気フライヤー等の厨房機器では小数点表示が用いられることが少ないので不都合は生じない。そして前記表示部２２は、７セグメント２６と小数点として使用されるドット２８とからなる汎用品を上下逆に設置することで、ドット２８を警報等の表示部分としているから、ドット２８を上側に位置させた新たな表示部を製造する必要がなく、従来のものが使用でき、コストの上昇が全くない。従って、前記警報等を表示させるための前記制御手段３２の接点数や配線数も増加することなく、ここでもコストの増加がない。なお、前記制御手段３２として、マイコンやシーケンサ等を使用すると、小数点として用いていたドット２８を警報出力に使用しても、制御手段３２のプログラムを変更するだけで対応することができる。
【００１６】
前記構成部品Ｒ,Ｓ１,Ｓ２の交換時期情報を、７セグメント２６に油温度との切換えで表示すると、使用者の使い勝手が悪化してしまう。しかし、実施例の表示装置２０では、表示部２２の上部に位置するドット２８の点滅により報知されるので、使用者が判別し易く、通常の油温度の表示を妨げることはない。そして、使用者に電気フライヤー１０の点検を促し、タイムリーに定期点検を実施し得るので、構成部品Ｒ,Ｓ１,Ｓ２の故障の可能性を低減し、寿命を向上し得る。
【００１７】
また実施例では、表示装置２０を電気フライヤー１０に配設する場合について説明したが、これに限定されず、冷蔵庫や食器洗浄機等の厨房機器、あるいはその他各種の機器にも、本発明に係る表示装置を配設することができる。例えば、冷蔵庫や冷凍庫等の貯蔵庫の場合、−４０〜５０℃程度の庫内温度を表示させるため、２〜３桁を表示する表示装置を備えているから、圧縮機を駆動・停止するリレーや庫内ファンモータを駆動・停止するリレー等の構成部品の開閉回数を制御手段で計数し、点検または交換時期をドットの点灯制御により報知するよう構成すればよい。また食器洗浄機の場合、貯湯タンクおよび洗浄タンクに貯留された０〜１００℃程度の湯温を表示するため、２〜３桁を表示する表示装置を備えているから、貯湯タンクおよび洗浄タンクに夫々配設されたヒータをＯＮ−ＯＦＦするリレーや洗浄ポンプ、すすぎポンプを夫々駆動・停止するリレー等の構成部品の開閉回数を制御手段で計数し、点検または交換時期をドットの点灯制御により報知するよう構成すればよい。そして、前記食器洗浄機の表示装置では、通常は洗浄タンク内の湯温を表示し、表示切換時のみ貯湯タンク内の湯温が表示されるようになっているから、洗浄タンクに関連する部品は、洗浄タンク内の湯温表示時にドットによる警報で報知し、一方、貯湯タンクに関連する部品は貯湯タンク内の湯温表示時にドットによる警報で報知するようにすればよい。
【００１８】
更に実施例では、前記表示部２２について１つの７セグメント２６により１桁の数字等を表示するよう構成したが、該表示部に２以上の７セグメント２６を配置して、複数桁の数字を表示させる構成も採用し得る。
【図面の簡単な説明】
【００１９】
【図１】本発明の好適な実施例に係る表示装置が配設された電気フライヤーを示す概略斜視図である。
【図２】実施例の表示装置を示す正面図である。
【図３】実施例の電気フライヤーの制御系を示すブロック図である。
【図４】従来の表示装置を示す正面図である。
【符号の説明】
【００２０】
１０ 電気フライヤー(機器)，２２ 表示部，２６ａ セグメント，２８ ドット，
３２ 制御手段，Ｒ リレー(構成部品)，Ｓ１ 第１スイッチ(構成部品)，
Ｓ２ 第２スイッチ(構成部品)
【図１】
2005316299.tif 000003
【図２】
2005316299.tif 000004
【図３】
2005316299.tif 000005
【図４】
2005316299.tif 000006